(57)【特許請求の範囲】
【請求項１】
難着雪リングの内面に接着剤入りの袋が取り付けられており、前記難着雪リングを送電線に取り付けると前記袋が破れて接着剤が流れ出し、送電線と難着雪リングを接着するようになっていることを特徴とするズレ防止型難着雪リング。
【請求項２】
難着雪リングの内面に紫外線硬化性樹脂又は自然硬化性樹脂入りの袋が取り付けられており、前記難着雪リングを送電線に取り付けると前記袋が破れて紫外線硬化性樹脂又は自然硬化性樹脂が流れ出し、送電線と難着雪リングの間で硬化するようになっていることを特徴とするズレ防止型難着雪リング。
【請求項３】
前記難着雪リングの内面に、当該難着雪リングを送電線に取り付けたときに、前記袋を破裂させる突起が設けられていることを特徴とする請求項１又は２に記載のズレ防止型難着雪リング。
【請求項４】
前記袋の難着雪リングと接する部分が他の部分よりも薄くなっていることを特徴とする請求項１又は２に記載のズレ防止型難着雪リング。
【請求項５】
前記袋の中の接着剤又は樹脂の量が前記送電線の全周に行き渡る量以下に設定されていることを特徴とする請求項１ないし４のいずれかに記載のズレ防止型難着雪リング。
【請求項６】
前記袋が生分解性材料で作られていることを特徴とする請求項１ないし５のいずれかに記載のズレ防止型難着雪リング。
【発明の詳細な説明】
【技術分野】
【０００１】
本発明は、送電線の着雪の発達を抑制する難着雪リングに関し、特に送電線長手方向へのズレを防止したズレ防止型難着雪リングに関するものである。
【背景技術】
【０００２】
架空送電線の着雪の発達を抑制するため、難着雪リングが使用されている。難着雪リングは、ヒンジ部により開閉可能に連結された一対の半円形部材を、各々の開放端側に形成された雄型係止部と雌型係止部を嵌合させることで、送電線外周に取り付けられるようになっている（特許文献１、２参照）。
【０００３】
難着雪リングは、送電線を締め付ける力で送電線に固定されるが、送電線の太さは様々であるため、個々の送電線の外径に合わせて、プラスチックの射出成型により製作される。
【０００４】
【特許文献１】特開２００６−３１１６２９号公報
【特許文献２】実開平２−１２２５２５号公報
【発明の開示】
【発明が解決しようとする課題】
【０００５】
しかし、難着雪リングを送電線の外径に合うように製作しても、送電線には寸法公差があるため、送電線の外径が小さ目のときは把持力が不足することになる。送電線の把持力が不足すると、取り付けた時点では問題なくても、風雨等による送電線の動揺や着雪による押圧力により、難着雪リングが送電線長手方向へずれてしまうことがある。また、宙乗り作業時にも、宙乗り器のローラーで難着雪リングのズレが発生することがある。難着雪リングのズレが発生すると、着雪を抑制する効果が損なわれる。
【０００６】
このため従来から、難着雪リングの内面にテープを内張りして、把持力の不足を補うことも行われているが、この方法は送電線の太さによってテープの厚さを設定する必要があるため、作業がきわめて煩雑になるという難点がある。
【０００７】
本発明の目的は、難着雪リングの送電線長手方向へのズレを防止できるズレ防止型難着雪リングを提供することにある。
【課題を解決するための手段】
【０００８】
本発明に係るズレ防止型難着雪リングは、難着雪リングの内面に接着剤入りの袋が取り付けられており、前記難着雪リングを送電線に取り付けると前記袋が破れて接着剤が流れ出し、送電線と難着雪リングを接着するようになっていることを特徴とするものである。
【０００９】
本発明に係るズレ防止型難着雪リングは、難着雪リングの内面に紫外線硬化性樹脂又は自然硬化性樹脂入りの袋が取り付けられており、前記難着雪リングを送電線に取り付けると前記袋が破れて紫外線硬化性樹脂又は自然硬化性樹脂が流れ出し、送電線と難着雪リングの間で硬化するようになっているものであってもよい。
【００１０】
また本発明に係るズレ防止型難着雪リングは、前記難着雪リングの内面に、当該難着雪リングを送電線に取り付けたときに、前記袋を破裂させる突起が設けられていることが好ましい。
【００１１】
また本発明に係るズレ防止型難着雪リングは、前記袋の難着雪リングと接する部分が他の部分よりも薄くなっていることが好ましい。
【００１２】
また本発明に係るズレ防止型難着雪リングは、前記袋の中の接着剤又は樹脂の量が前記送電線の全周に行き渡る量以下に設定されていることが好ましい。
【００１３】
また本発明に係るズレ防止型難着雪リングは、前記袋が生分解性材料で作られていることが好ましい。
【発明の効果】
【００１４】
本発明によれば、難着雪リングを送電線に取り付けると、袋が破れて流れ出した接着剤が送電線と難着雪リングを接着するか、紫外線硬化性樹脂又は自然硬化性樹脂が送電線と難着雪リングの間で硬化するので、難着雪リングのズレを確実に防止することができる。
【００１５】
また、難着雪リングの内面に突起を設けるか、袋の難着雪リングに接する部分を他の部分より薄くしておけば、難着雪リングを送電線に取り付けたときに、袋を確実に破裂させることができる。
【００１６】
また、袋の中の接着剤又は樹脂の量を送電線の全周に行き渡る量以下に設定しておけば、（如何なる効果が得られますか）。
【００１７】
さらに、袋を生分解性材料で作っておけば、破れた袋が時間の経過により分解して無くなるので、送電線下のゴミとして散らばるのを防止できる。
【発明を実施するための最良の形態】
【００１８】
＜実施形態１＞  図１は本発明の一実施形態を示し、（Ａ）は送電線に取り付ける前のズレ防止型難着雪リング１を、（Ｂ）はそのズレ防止型難着雪リング１を送電線２に取り付けた状態を示している。このズレ防止型難着雪リング１は、通常の難着雪リング３の内面に、接着剤４が入った袋５を取り付けたものである。
【００１９】
難着雪リング３は、ヒンジ部６により開閉可能に連結された一対の半円形部材７、７を、同部材７、７の開放端側に形成された雄型係止部８と雌型係止部９を嵌合させることで、送電線外周に取り付けられるようになっている。
【００２０】
袋５はプラスチック製で、難着雪リング３の内周に沿うように細長く形成されている。袋５に封入された接着剤４は、送電線２とプラスチック製の難着雪リング３を接着できるものであればよい。接着剤４入りの袋５は難着雪リング３の内面に接着等の手段により取り付けられる。また接着剤４入りの袋５は、図１（Ａ）のようにヒンジ部６の両側の半円形部材７、７に跨るように取り付けておくことが好ましい。
【００２１】
図１（Ａ）のように構成されたズレ防止型難着雪リング１を送電線に取り付けると、袋５が難着雪リング３の締付け力で破れて、同図（Ｂ）のように接着剤４が流れ出し、送電線２と難着雪リング３を接着する。このため、難着雪リング３が送電線２の長手方向にずれるのを確実に防止することができる。
【００２２】
なお、袋５を生分解性材料で作っておけば、破れた袋が時間の経過により生分解して無くなるので、送電線下のゴミとして散らばるのを防止できる。
【００２３】
＜実施形態２＞  図２は本発明の他の実施形態を示す。このズレ防止型難着雪リング１が実施形態１のものと異なる点は、袋５の中に接着剤の代わりに紫外線硬化性樹脂又は自然硬化性樹脂１０を封入したことである。このズレ防止型難着雪リング１を送電線２に取り付けると、袋５が破れて紫外線硬化性樹脂又は自然硬化性樹脂１０が流れ出し、送電線２と難着雪リング３の間で硬化するので、難着雪リング３の位置ズレを確実に防止することができる。
【００２４】
上記以外の構成は、実施形態１と同じであるので、同一部分には同一符号を付して説明を省略する。
【００２５】
＜実施形態３＞  図３は本発明のさらに他の実施形態を示す。このズレ防止型難着雪リング１が実施形態１、２のものと異なる点は、難着雪リング３の内面に、当該難着雪リング３を送電線に取り付けたときに袋５を破裂させる突起１１を形成したことである。このような突起１１を設けておけば、ズレ防止型難着雪リング１を送電線に取り付けたときに、袋５を確実に破裂させて、接着剤４（あるいは紫外線硬化性樹脂又は自然硬化性樹脂１０）を流れ出させることができる。
【００２６】
上記以外の構成は、実施形態１、２と同じであるので、同一部分には同一符号を付して説明を省略する。
【００２７】
＜実施形態４＞  図４は本発明のさらに他の実施形態を示す。このズレ防止型難着雪リング１が実施形態１、２のものと異なる点は、袋５の難着雪リング３に接する部分に他の部分よりも薄い薄肉部５ａを設けたことである。このような構成でも、ズレ防止型難着雪リング１を送電線に取り付けたときに、袋５を確実に破裂させて、接着剤４（あるいは紫外線硬化性樹脂又は自然硬化性樹脂１０）を流れ出させることができる。
【００２８】
上記以外の構成は、実施形態１、２と同じであるので、同一部分には同一符号を付して説明を省略する。
【００２９】
＜実施形態５＞  図５は本発明のさらに他の実施形態を示す。このズレ防止型難着雪リング１が実施形態１、２のものと異なる点は、難着雪リング３の半円形部材７の両端面内周部に、突縁１２を形成したことである。このような突縁１２を形成しておくと、ズレ防止型難着雪リング１を図５（Ｂ）のように送電線２に取り付けたときに、接着剤４による接着面積（あるいは紫外線硬化性樹脂又は自然硬化性樹脂１０の固化面積）が大きくなるので、難着雪リング３の位置ズレをより確実に防止することができる。
【００３０】
上記以外の構成は、実施形態１、２と同じであるので、同一部分には同一符号を付して説明を省略する。
【００３１】
＜その他の実施形態＞
また、本発明は、接着剤（又は樹脂）として２液（又は２種）を混合することで接着（又は硬化）するものを用い、袋５に第一の接着剤（又は樹脂）４を入れ、袋５の中に設けた図示しない袋に第二の接着剤（又は樹脂）を入れて、実施形態１から５のように袋を破裂させることにより、難着雪リング３が送電線２に固定されるようにしてもよい。
【図面の簡単な説明】
【００３２】
【図１】本発明に係るズレ防止型難着雪リングの一実施形態を示す、（Ａ）は送電線に取り付ける前の一部切開正面図、（Ｂ）は送電線に取り付けた後の正面図。
【図２】本発明に係るズレ防止型難着雪リングの他の実施形態を示す、（Ａ）は送電線に取り付ける前の一部切開正面図、（Ｂ）は送電線に取り付けた後の正面図。
【図３】本発明に係るズレ防止型難着雪リングのさらに他の実施形態を示す一部切開正面図。
【図４】本発明に係るズレ防止型難着雪リングのさらに他の実施形態を示す一部切開正面図。
【図５】本発明に係るズレ防止型難着雪リングのさらに他の実施形態を示す、（Ａ）は送電線に取り付ける前の一部切開正面図、（Ｂ）は送電線に取り付けた後の正面図、（Ｃ）は（Ａ）のＣ−Ｃ線断面図。
【符号の説明】
【００３３】
１：ズレ防止型難着雪リング
２：送電線
３：難着雪リング
４：接着剤
５：袋
５ａ：薄肉部
６：ヒンジ部
７：半円形部材
８：雄型係止部
９：雌型係止部
１０：紫外線硬化性樹脂又は自然硬化性樹脂
１１：突起
１２：突縁
【図１】
0005100431.tif 000002
【図２】
0005100431.tif 000003
【図３】
0005100431.tif 000004
【図４】
0005100431.tif 000005
【図５】
0005100431.tif 000006